(57)【特許請求の範囲】
【請求項１】
上端部に直飲みできる飲み口を有したボトル本体と、このボトル本体の上端部片側のヒンジ連結部を中心にボトル本体の上端部に被さって飲み口を閉じ、また開く開閉動作をする片開き蓋と、この片開き蓋をボトル本体との間で閉じ状態にロックし、またロックを解除するロック機構とを備えた片開きボトルであって、
ロック機構は、ボトル本体側に設けられたロック機構固定部である係合部と、片開き蓋の前面および上面と外面同士が面一となるのを常態となることを満足して設けられて片開き蓋が閉じられたとき前記係合部に一時的な係合部からの退避動作を伴い係合してロックし、また外面からの一時的な退避操作によりロックを解除するロック機構可動部であるロック部材とで構成し、
前記ロック部材の片開き蓋の上面と面一になる外面に設けられて、ロック部材のロック解除操作を阻止する操作阻止位置とその阻止を解除する操作阻止解除位置とに移動する安全ストッパを備えた
ことを特徴とする片開きボトル。
【発明の詳細な説明】
【技術分野】
【０００１】
本発明は、ボトル本体の上端部片側を中心に開閉する片開き蓋を備えた片開きボトルに関し、詳しくは、上端部に直飲みできる飲み口を有したボトル本体と、このボトル本体の上端部片側のヒンジ連結部を中心にボトル本体の上端部に被さって前記飲み口を閉じ、また開く開閉動作をする片開き蓋と、この片開き蓋をボトル本体との間で閉じ状態にロックし、またロックを解除するロック機構とを備えた片開きボトルするものである。
【背景技術】
【０００２】
このような片開きボトルは既に知られており（例えば、特許文献１、２参照。）、ボトル本体を片手持ちして片開き蓋を開くとそのまま飲み口から直飲みできようになっている。しかし、不用意な蓋開きを防止するために片開き蓋はロック機構により閉じ位置にロックされ、片手持ちしている手の指でロックを解除すると片開き蓋が付勢によって自動的に開くようにされている。このようなロック、ロック解除のためのロック機構におけるレバー部材などとされる可動部は、特許文献１、２に開示されているようにボトル本体側に設けられ、片開き蓋の側の係合部との係脱によりロック、ロック解除するようになっている。
【先行技術文献】
【特許文献】
【０００３】
【特許文献１】特開２００６−１５８７２９号公報
【特許文献２】特開２００６−１６０２７８号公報
【発明の概要】
【発明が解決しようとする課題】
【０００４】
ところで、このような片開きボトルは多くの場合特許文献１、２に見られるように金属製真空二重容器を露出したまま用い、その高い断熱性、美麗、堅牢、スリムな点を生かすようにしている。この結果、ボトル本体側に設けるロック機構の可動部は、専ら金属製真空二重容器の口部に装着したボトル本体の肩や栓を構成する樹脂部材を利用して支持するようにされる。
【０００５】
しかし、金属製真空二重容器の上端部に装着される樹脂部材の露出高さは自由に設計できるが、金属製真空二重容器周りでの径方向での奥行き寸法はスリム性確保の上から金属製真空二重容器の細口部以外ではあまり大きく取れない。そこで、十分な縦方向寸法でロック機構の可動部を設けようとすると、特許文献１に開示されているように樹脂部材の側周面から突出するように設けることはできるが、可動部材の突出は外力を受けやすく特許文献１に開示のように周囲に保護壁を設けて保護する必要もあり、ロック機構部まわりがかさ張ってしまうし。また、この部分的なかさ張りのために洗浄やふき取り作業時の引っ掛かり部となるので作業性が悪くなる。一方、特許文献２の図１に開示されているように、奥行きの取りやすい金属製の真空二重容器の細口部まわりか、特許文献２の図５に開示されているように金属製真空二重容器の口部を外した上の部分かに設けることにより側周面から突出させなくてもよくなるが、いずれの場合も図示されている通り、ロック機構における可動部の縦方向寸法が小さく制限されて操作しにくいものとなる。
【０００６】
そこで、本発明者は、この種片開きボトルの片開き蓋では、比較的高く設けられる飲み口をボトル本体の上端と共に覆い閉じるのに、飲み口との間に比較的大きなデッドスペースを得て、ロック機構の可動部を大きさ制限なく設けられる技術を開発した。
【０００７】
本発明はそのような開発の基に、ロック機構の可動部を片開き蓋の外面から突出せず、かつ操作しやすく設けられる片開きボトルを提供することを課題とする。
【課題を解決するための手段】
【０００８】
上記課題を解決するため、本発明の片開きボトルは、上端部に直飲みできる飲み口を有したボトル本体と、このボトル本体の上端部片側のヒンジ連結部を中心にボトル本体の上端部に被さって飲み口を閉じ、また開く開閉動作をする片開き蓋と、この片開き蓋をボトル本体との間で閉じ状態にロックし、またロックを解除するロック機構とを備えた片開きボトルであって、ロック機構は、ボトル本体側に設けられたロック機構固定部である係合部と、片開き蓋の前面および上面と外面同士が面一となるのを常態となることを満足して設けられて片開き蓋が閉じられたとき前記係合部に一時的な係合部からの退避動作を伴い係合してロックし、また外面からの一時的な退避操作によりロックを解除するロック機構可動部であるロック部材とで構成し、前記ロック部材の片開き蓋の上面と面一になる外面に設けられて、ロック部材のロック解除操作を阻止する操作阻止位置とその阻止を解除する操作阻止解除位置とに移動する安全ストッパを備えたことを特徴とする。
【０００９】
上記構成によれば、片開き蓋は、ボトル本体の上端部片側へのヒンジ連結部を中心に、直飲み用の飲み口をボトル本体の上端部と共に覆って閉じ内容液の流出を防止し、また、ボトル本体の上端および飲み口を開放するようにヒンジ連結部側に片開きして飲み口から直飲みできるようにする。この片開き蓋をボトル本体との間で片開き蓋が閉じられたときボトル本体側の係合部に一時退避動作を伴い係合して閉じ状態にロックし、また、外面からの一時的な退避操作を受けてロックを解除するロック機構において、前記ロック、ロック解除のための可動部であるロック部材が、片開き蓋の前面および上面と外面同士が面一となるのを常態となることを満足して片開き蓋の側に設けられて、ボトル本体の側のロック機構における固定部としての係合部に係脱して、片開き蓋を閉じ状態にロックし、またロックを解除することができ、片開き蓋と飲み口との間に得た十分な奥行きおよび縦方向範囲のデッドスペースを得て、片開き蓋と外面同士が面一になるように、また十分な縦方向寸法を持って設けられる。また、安全ストッパがロック部材の片開き蓋の上面と面一になる外面上で操作阻止位置と操作阻止解除位置のどちらに移動させるかで、ロック解除操作部材によるロック解除操作を阻止して不用意な操作が行われなくしたり、ロック解除操作して片開き蓋の閉じ位置へのロックを解除できるようにしたりすることができる。
【００１０】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００１１】
本発明の片開きボトルによれば、直飲み用の飲み口をボトル本体の上端部と共に覆って閉じ、また、それらを開放するように片開きする片開き蓋を閉じ状態にロックし、また、ロックを解除するロック機構において、その可動部であるロック部材が片開き蓋の前面および上面と外面同士が面一となるのを常態となることを満足して片開き蓋の側に設けて、ボトル本体の側の係合部との係脱によりロック、ロック解除ができ、片開き蓋と飲み口との間に得た十分な奥行きおよび縦方向範囲のデッドスペースを利用して、片開き蓋と外面同士が面一になり洗浄や拭き取りの作業の邪魔にならず、かつ、かさ張らず単純かつすっきりした外観が得られるし、他との引っかかりや当りによる外力を受けにくくするのに併せ、十分な縦方向寸法を有して操作しやすいものとすることができる。また、安全ストッパがロック部材の片開き蓋の上面と面一になる外面上での２つの位置間の選択的な移動操作だけで、ロック解除操作部材によるロック解除操作を阻止して不用意な操作に対する安全を図りながら、必要に応じロック解除操作することができる。
【図面の簡単な説明】
【００１２】
【図１】本発明の実施形態の片開きボトルを示す断面図である。
【図２】同片開きボトルの側面図および一部の除く平面図である。
【図３】同片開きボトルのボトル本体の平面図である。
【図４】同片開きボトルの栓体と金属製真空二重容器の口部との関係を示す断面図である。
【図５】同片開きボトルの栓および片開き蓋を、中栓における飲み口を持った内筒を分離して示す断面図である。
【図６】同片開きボトルの外栓の平面図、中栓の内筒の正面図、側面図、平面図である。
【図７】同片開きボトルの栓体と開き状態の片開き蓋との関係を示す斜視図である。
【図８】同片開きボトルの栓体と開き状態の片開き蓋との関係を、上下反転した状態の栓体から中栓の内筒を外して見た斜視図である。
【図９】同片開きボトルの片開き蓋とロック機構とを、ロック機構におけるロック解除操作部材を係脱部材上から取り外して見た分離したボトルを示す斜視図である。
【発明を実施するための形態】
【００１３】
以下、本発明の片開きボトルにつき図１〜図６に示す実施の形態に基づき詳細に説明する。
【００１４】
本実施の形態の片開きボトルは図１に示すように、ステンレス製の内壁及び外壁の間に真空断熱空間２を有する真空二重容器１と、この真空二重容器１の口部１ａの外壁に形成された雄ねじ３に螺合する雌ねじを有し、シールパッキン９を介して真空二重容器１に装着された合成樹脂製の栓体５とによりボトル本体２０をなしている。このボトル本体２０にはその上端部の片側、具体的には背面側に回動軸６によるヒンジ連結部１０を中心にボトル本体２０の上端部に被さって栓体５に有する直飲み用の飲み口１４を閉じ、また開く開閉動作をする片開き蓋７が設けられている。しかし、ボトル本体２０は断熱性の有無、金属製、非金属製、飲み口１４の構造など自由に設計でき、具体的な構造は特に問わない。また、片開き蓋７の材料も特に問うものではない。片開き蓋７とボトル本体２０との間には片開き蓋７を閉じ状態にロックし、またそのロックを解除するロック機構８が設けられている。
【００１５】
図示例の上記真空二重容器１は、片手持ちできる程度にスリム化した胴部１ｂを有し、この胴部１ｂの上部は、口部１ａに装着された栓体５とほぼ同径に形成されている。真空二重容器１の胴部１ｂや栓体５部を片手持ちして、片手持ちしている手の指によるロック機構８の操作や、これに伴う片開き蓋７の開き操作や、片開き蓋７の開放後に飲み口１４による直飲み動作を行い易い形状になっている。しかし、図示例の片開き蓋７は回動軸６まわりに装着したばね１３１により開き方向に付勢してある。従って、片開き蓋７のロック機構８による閉じ位置へのロックはばね１３１の付勢に抗して行われ、このロックが解除されると片開き蓋７はばね１３１の付勢により自動的に開かれる。このような開き方向への付勢はボトル本体２０の飲み口１４まわりに設けた弾性体や、片開き蓋７に設けた飲み口１４をシールする弾性シールパッキン１６によって代替することもできる。
【００１６】
栓体５は、真空二重容器１の口部１ａの前記雄ねじ３に螺合して口部１ａを覆うほぼ円筒形の外栓５１と、この外筒部５１の内側に嵌め付けられて口部１ａの内側に進入し口部１ａの段部に前記シールパッキン１６を圧接させて真空二重容器１を密閉する中栓５２とで構成され、この中栓５２に前記飲み口１４が真空二重容器１の密閉域に通じるように設けられている。飲み口１４は中栓５２の天面のヒンジ連結部１０とは反対の側、具体的には前部側に偏って位置し、片開き蓋７がヒンジ連結部１０を中心に開いて後部側に起立し後傾した状態においてボトル本体２０を前傾させたときに、片開き蓋７の邪魔なしに口を付けやすく、直飲みしやすいようにしている。
【００１７】
特に、ロック機構８は、ボトル本体２０側に設けられたロック機構固定部である係合部３１と、片開き蓋に外面同士が面一となるのを常態として設けられて片開き蓋が閉じられたとき前記係合部に一時的な係合部からの退避動作を伴い係合してロックし、また、外面からの一時的な退避操作によりロックを解除するロック機構可動部であるロック部材３２とで構成している。これにより、ボトル本体２０の上端部片側へのヒンジ連結部１０を中心に、直飲み用の飲み口１４をボトル本体２０の上端部と共に覆って閉じ内容液の流出を防止し、また、ボトル本体２０の上端および飲み口１４を開放するようにヒンジ連結部１０側に片開きして飲み口１４から直飲みできるようにする片開き蓋７に対し、ロック部材８はボトル本体２０との間で片開き蓋７が閉じられたときロック部材３２をボトル本体２０側の係合部３１に一時退避動作を伴い係合させて閉じ状態にロックし、また、ロック部材３２に外面からの一時的な退避操作を受けて前記ロックを解除するが、このロック、ロック解除のための可動部であるロック部材３２が、片開き蓋７の側に設けられて、ボトル本体２０の側のロック機構８における固定部としての係合部３１に係脱して、片開き蓋７を閉じ状態にロックし、またロックを解除することができ、片開き蓋７と飲み口１４との間に得た十分な奥行きおよび縦方向範囲のデッドスペースＳを得て、片開き蓋７と外面同士が面一になるように、また十分な縦方向寸法を持って設けられる。
【００１８】
この結果、直飲み用の飲み口１４をボトル本体２０の上端部と共に覆って閉じ、また、それらを開放するように片開きする片開き蓋７を閉じ状態にロックし、また、ロックを解除するロック機構８において、その可動部であるロック部材３２を片開き７の側に設けて、ボトル本体２０の側の係合部３１との係脱により片開き蓋７の閉じ状態へのロック、ロック解除ができ、片開き蓋７と飲み口１４との間に得た十分な奥行きおよび縦方向範囲のデッドスペースＳを利用して、片開き蓋７と外面同士が面一になり洗浄や拭き取りの作業の邪魔にならず、かつ、かさ張らず単純かつすっきりした外観が得られるし、他との引っかかりや当りによる外力を受けにくくするのに併せ、十分な縦方向寸法を有して操作しやすいものとすることができる。
【００１９】
また、ロック部材３２は、前記係合部３１と係脱する係脱部材３２１と、この係脱部材３２１を片開き蓋７と外面同士が面一であることを常態として覆い外面からの押圧操作で係脱部材３２１を退避動作させるロック解除操作部材３２２とで構成している。
【００２０】
このように、ロック部材３２が、ボトル本体２０側の係合部３１と係脱する係脱部材３２１を有することで、閉じられた片開き蓋７を係合部３１からの一時的な退避動作を伴い係合して閉じ状態にロックすることができ、係脱部材３２１を片開き蓋７と外面同士が面一であることを常態として覆うロック解除操作部材３２２を有することで、ロック解除操作部材３２２とその動きだけが外観されるようにすることができる。従って、片開き蓋７と外面同士が面一であることを常態とするロック解除操作部材３２２のロック解除操作や復帰の動きだけを外観させて操作の単純さをユーザに直感させ使用しやすくすることができるし、係脱部材３２１を外力や異物の噛み込み、塵埃の付着などから保護できる。
【００２１】
また、片開き蓋７には図１、図２、図８、図９に示すような安全ストッパ３３が設けられ、ロック解除操作部材３２２のロック解除操作を阻止する図２に示す操作阻止位置と、その阻止を解除する図８に示す操作阻止解除位置とに移動できるようにしている。これにより、安全ストッパ３３が片開き蓋７上で操作阻止位置と操作阻止解除位置のどちらに移動させるかで、ロック解除操作部材３２２によるロック解除操作を阻止して不用意な操作が行われなくしたり、ロック解除操作して片開き蓋７の閉じ位置へのロックを解除できるようにしたりすることができる。従って、安全ストッパ３３の片開き蓋７上での２つの位置間の選択的な移動操作だけで、ロック解除操作部材３２２によるロック解除操作を阻止して不用意な操作に対する安全を図りながら、必要に応じロック解除操作することができる。
【００２２】
また、ボトル本体２０の側に、ロック部材３２ないしはその係脱部材３２１の退避動作完了後の延長動作で当接し合って片開き蓋７の開き方向側に誘導する図１、図３、図５〜図７に示すような案内部３４を設けてある。これにより、ロック部材３２ないしは係脱部材３２１がロック解除操作による一時退避動作で係合部３１から外れて以降の延長動作ができ、これによってロック部材３２ないしは係脱部材３２１はボトル本体２０側の案内部３４に当接して片開き蓋を伴いそれが開く方向側に誘導されて、片開き蓋７を少なくともロック部材３２ないしは係脱部材３２１によるロック位置から退避させるので、ロック部材３２ないしは係脱部材３２１のロック解除操作からの解放時期が早すぎて再度ロックしてしまうようなことを回避することができる。従って、ロック部材３２ないしは係脱部材３２１がロック解除操作により係合部３１から外れて以降の延長動作でのボトル本体２０側の案内部３４との当接による誘導で、片開き蓋７を少なくともロック位置から退避させ、ロック部材３２ないしは係脱部材３２１のロック解除操作の解放時期が早すぎ片開き蓋７を再度ロックしてしまい、再度のロック解除操作が必要となる不便をなくすことができる。
【００２３】
さらに、係脱部材３２１およびロック解除操作部材３２２は、片開き蓋７に径方向に進退できるように支持され、係脱部材３２１を図１、図９に示すようにばね３５により外径側に付勢して係脱部材３２１がボトル本体２０側の図１、図７に示す内径側に向く係合部３１との係合位置に常時位置し、かつロック解除操作部材３２２を係脱部材３２１により常態位置に保持するようにしている。これにより、係脱部材３２１およびロック解除操作部材３２２は共に片開き蓋７に対し径方向に進退するように単純に支持されて、しかも、ロック解除操作部材３２２による係脱部材３２１に対するばね３５に抗し退避操作し、係脱部材３２１がばね３５の付勢で復動するのにロック解除操作部材３２２を常態位置に復動させる、互いの動作伝達が摺動成分なしに行われる。従って、係脱部材３２１およびロック解除操作部材３２２は共に進退するだけの支持構造が簡単で安価なものとなる上、互いの必要な動作伝達が摺動成分や拗れなしにスムーズに行え、耐久性も高上する。
【００２４】
さらに詳述すると、中栓５２は飲み口１４が一体成形された図５〜図７に示すような内筒５２ａと内筒５２ａの外周側に中空部５３をなして嵌り合う外筒５２ｂとで図１に示すような二重構造に形成されている。内筒５２ａは前記シールパッキン９を外周の溝５２ａ９に装着して口部１ａの段部に圧接させる大径基部５２ａ１からボトル中心近傍から前部側に絞った流路５２ａ２をなして立ち上がり、上端部にヒンジ連結部１０の近傍から片開き蓋７の周壁との間にロック機構８を設けるデッドスペースＳを確保する前部位置まで、流路５２ａ２よりも後方側に大きく広がる飲み口１４に対し流路５２ａ２よりも若干小さいが前後方向、従って、径方向に長くした絞り口５２ａ３にて通じるようにしている。飲み口１４は底部が後部から前部へ深くなり、上端が後部から前部へと高くなる図７、図８に示すような皿型をなしている。ほぼ満水時状態で図１に示すように液面３６が飲み口１４の前端１４ａに届くまでボトル本体２０を傾けたとき、飲み口１４の前部には絞り口５２ａ３を通じて流出した内容液の溜まり部１４ｂができ、この溜まり部１４ｂに内容液を大径の基部５２ａ１から絞り口５２ａ３側に狭くなる流路５２ａ２に案内した上で、絞り口５２ａ３によりダイレクト流出を防止する、従って、ボトル本体２０の傾け加減によって流出を止めたり、流出させたりする機能を発揮する少しの堰部５２ａ４を有して、直飲みしやすい流路幅にさらに絞って注ぎ出しながら、思い通りの流出状態で直飲みできるようにしている。飲み口１４の前端１４ａからの流出量を調整して乱れなく静かに直飲みすることができる。また、絞り口５２ａ３は図３、図６に示すように流路幅を規制する幅よりも径方向での前後方向長さの方が大きく、図１の液面３６が示すように内容液が満杯状態から流出する場合でも絞り口５２ａ３の後部に吸気路５２ａ５が確保されるので、内容液を乱れなくスムーズに流出させられる。
【００２５】
内筒５２ａと外筒５２ｂとは流路５２ａ２まわりの全周に前記中空部５３を形成しており、中栓５２の天部での内外間を空気断熱するので金属製真空二重容器１と共に保温、保冷に有利であるし、保冷時に外気温との差で中栓５２の天面に結露するようなことを防止できる。内筒５２ａと外筒５２ｂとは中空部５３を形成するために、上部と下部とで嵌り合っており、その少なくとも一方は全周につき接着、超音波溶着などしたシール一体化構造として、万一にも内容液が中栓５３の内側から外側に漏れ出るのを防止するようにしている。図示例では内筒５２ａの飲み口１４を持った天板５２ａ６と、外筒５２ｂの天板５２ｂ１との、嵌め合わせ部で超音波溶着し、内筒５２ａの基部５２ａ１外周に外筒５１の下端を図４に示すように嵌め合わせてフランジ５２ａ７で受け止め、その嵌め合わせ部間はシールパッキン３７によりシールしてあり、シールパッキン３７は内筒５２ａの基部５２ａ１に形成した環状溝５２ａ８に装着してある。外栓５１は外筒５２ｂの上端５２ｂ１の外周に天板５１ａを無理嵌めした図１、図５に示す無理嵌め部３９を有して一体化してあり、上部に片開き蓋７を開閉できるように支持する前記ヒンジ連結部を有している。さらに、図８に示すように天板５２ｂ１の下面には天板５２ａ６の切り欠き５２ａ１０と嵌り合う凸部５２ｂ２を設け、
片開き蓋７は閉じ状態で絞り口５２ａ３を閉じるシールパッキン１６を天板７ａから下向きに突出した突起７ｂの先端に取り付けてあり、天板７ａ上の前後方向のほぼ中央部から前部側周壁７ｃに至る図１、図８、図９に示すような鉤型のポケット４１を設け、このポケット４１にロック機構８を収容している。具体的には、ポケット４１の天面前部の前方に開放した凹部４２を形成して図１、図５、図９に示すようなΓ型の係脱部材３２１の上辺３２１ａを前後摺動できるように受け入れ、ばね３５により前部側に付勢している。この付勢によって係脱部材３２１の下端にある前部に向いたフック３２１ｂがボトル本体２０の外栓５１の前部上端に後部に向いて一体形成した図１、図７に示すようなフック形の係合部３１に係合する位置を保たせるようにしている。この係脱部材３２１を嵌め入れた図９に示す状態のポケット４１に、図１、図８、図９に示すような鉤型のロック解除操作部材３２２を上方から嵌め入れて、上辺３２２ａの下面の前後方向の中央部両側に下向きにいったい形成した一対のフック片３２２ｂを、ポケット４１の天面部両側壁面に内向きに一体形成した係合部４１ａを弾性係合させることにより、上方への抜け止め状態で前後にスライドできるように取り付け、同時に、ロック解除操作部材３２２によって係脱部材３２１をポケット４１内に前後摺動できるように保持するようにしている。ロック解除操作部材３２２の上辺３２２ａにおける下面の前記フック片３２２ｂの前部側に前記係合部４１ａの前端と対抗するストッパ３２２ｃを一体形成してあり、ロック解除操作部材３２２によって係脱部材３２１をばね３５に抗して後退させ、係合部３１との係合を外して片開き蓋７のロックを解除して、さらに、係脱部材３２１のフック３２１ｂを前記案内部３４に乗り上げさせて、片開き蓋７の初期開きを達成する時点で、ストッパ３２２ｃが係合部４１ａに当接し、それ以上の操作を防止するようにしている。また、ロック解除操作部材３２２はその上辺３２２ａの前部から垂下する押し込み操作片３２２ｄの下端が図１に示すように片開き蓋７の周壁７ｃのポケット４１の底部から立ち上がる立ち上がり壁４１ｃに内側から当接することで、復帰位置が規制され、またポケット４１から前方へ抜け出るのを防止されている。またボトル本体２０側の係合部３１は外栓５１の上端から図１、図７に示すように突出して形成され、片開き蓋７の周壁７ｃにはこれに対する逃げとなる図２、図７、図８に示すようなきり欠き７ｄを設けてあり、この切り欠き７ｄに係脱部材３２１のフック３２１ｂが図７、図８に示すように内側から臨んでいる。
【００２６】
したがって、ロック解除操作部材３２２の過剰な操作を阻止してそれ自体や他の部材などの損傷を防止して、しかも、片開き蓋７はロック解除操作の最終段階での初期開きにより係脱部材３２１によるロック位置から上方へ退避しているので、ロック解除操作部材３２２や片開き蓋７が解放されて係脱部材３２１がばね３５の付勢によってロック解除操作部材３２２を伴い係合位置に復帰したとき、片開き蓋７を再度ロックすることはなく、片開き蓋７はばね１３１の付勢によって自動的に確実に開かれる。片開き蓋７が開き位置から閉じられると、係脱部材３２１はボトル本体２０側の係合部３１との係合位置に復帰しているが、ロック解除操作部材３２２の内側で単独にスライドできるので、片開き蓋７の閉じの最終段階でフック３２１ｂが係合部３１に上方から当接していくときに、それら一方または双方の斜面や曲面での滑りによって係脱部材３２１がばね３５に抗し一時的に後方へ単独で退避させられながら係合部３１との係合位置に達する。フック３２１ｂが係合部３１との係合位置に達したとき、係脱部材３２１はばね３５の付勢により係合位置に単独で復帰しフック３２１ｂが係合部３１に図１に示すように係合するので、片開き蓋７を自動的に閉じ状態にロックする。なお、片開き蓋７を閉じるのに、自由端部の上面および前面に掛けて位置するロック解除操作部材３２２を押圧する形で閉じ操作すればよく、このように閉じ操作はロック解除操作部材３２２に対する押圧力を働かせるだけであるので、前後にスライドするロック解除操作部材３２２を不用意に移動させることはないし、ロック解除操作部材３２２はポケット４１の底部に受けられて破損するようなことはない。
【００２７】
しかも、図８に示すようにロック操作部材３２２は広く大きなものとして設けられるので、操作性が向上し動きが安定しがたつかない利点がある。また、その内側の係脱部材３２１も外部に露出させないで大きくすることができ、係合音を伴うロック感やロックの確実性が増す。また、片開き蓋７上の主要部材であるロック解除操作部材３２２は係脱部材３２１、安全ストッパ３３と共に飲み口１４とほぼ対応する位置にあって、しかも、ほぼ飲み口１４に対応する鉤型面範囲内に収まって設けられる。
【００２８】
前記安全ストッパ３３は樹脂製の一体成形品で、図１、図２、図８に示すような左右方向に長い操作頭部３３ａを有し、ロック解除操作部材３２２の上辺３２２ａに形成した凹部６１内を左右にスライドできるように収容される。安全ストッパ３３は凹部６１の底部に設けた図１、図９に示すような左右のスライド窓６１ａに操作頭部３３ａの下面の左右方向中央部の両側に一体成形した図１、図９に示すようなフック片３３ｂを上方から弾性係合させて抜け止めし、左右にスライドできるように支持される。操作頭部３３ａの下面にはさらに、図９に示すようなストッパ３３ｃが一体成形されている。安全ストッパ３３のロック解除操作を阻止する図１に示す阻止位置では、ストッパ３３ｃがポケット４１の天面部の後部にいたい成形された受け止め突起４１ｂと対向して、ロック解除部材３２２が後退操作されると、従って、ロック解除操作されると、それらストッパ３３ｃと受け止め突起４１ｂとが突っ張って、後退操作、従ってロック解除操作を阻止する。また、安全ストッパ３３の図８に示す阻止解除位置では、ストッパ３３ｃが受け止め突起４１ｂとの対向位置から外れ、ロック解除部材３２２が後退させられても、従って、ロック解除操作されても、ストッパ３３ｃは受け止め突起４１ｂに当接せず、後退操作、従ってロック解除操作を阻止しない。なお、図示しないがフック片３３ｂの一方とこれが摺動するスライド窓６１ａの縁との間でクリック係合する係合部を前記阻止位置と阻止解除位置とに対応する２箇所に設け、安全ストッパ３３をいずれかの位置に選択的に安定させられるようにする。なお、安全ストッパ３３は横スライド方式の動作部材としたが、押し込み方向での動作部材とすることもできる。
【産業上の利用可能性】
【００２９】
本発明は片開きボトルに実用して、ロック機構の可動部を片開き蓋の外面から突出せず、かつ操作しやすく設けられる。
【符号の説明】
【００３０】
１ 真空二重容器
１ａ 口部
５ 栓体
５１ 外栓
５２ 中栓
７ 片開き蓋
８ ロック機構
３２ ロック部材
３２１ 係脱部材
３２１ｂ フック
３２２ ロック解除操作部材
１０ ヒンジ連結部
１４ 飲み口
２０ ボトル本体
３１ 係合部
３３ 安全ストッパ
３３ａ 操作頭部
３３ｃ ストッパ
３４ 案内部
３５、１３１ ばね
４１ ポケット
４１ｂ 受け止め突起
４２ 凹部
Ｓ デッドスペース
【図１】
0005488630.tif 000002
【図２】
0005488630.tif 000003
【図３】
0005488630.tif 000004
【図４】
0005488630.tif 000005
【図５】
0005488630.tif 000006
【図６】
0005488630.tif 000007
【図７】
0005488630.tif 000008
【図８】
0005488630.tif 000009
【図９】
0005488630.tif 000010